(57)【特許請求の範囲】
【請求項１】
毎秒Ｆフィールドのフィールドレートを持つ入力ビデオ信号を、各入力フィールド用の情報が本質的に１つの入力フィールドから取られる同期のプロセスと、各入力フィールド用の情報が少なくとも２つの入力フィールドから、前記２つの入力フィールドを基準とした出力フィールドの位相差を考慮に入れて、取られる補間のプロセスとを使用して、毎秒Ｆ＋／−Δフィールドのフィールドレートを持つ出力ビデオ信号に変換する方法であって、長さ１／Δの時間間隔が規定されており、前記時間間隔は第１の時間部分と第２の時間部分とから成り、フィールドを、前記第１の時間部分の間、同期モードで同期化し、前記第２の時間部分の間、補間モードで補間する方法。
【請求項２】
前記第１の時間部分は前記時間間隔１／Δの半分またはそれ以上を表す、請求項１に記載の方法。
【請求項３】
同期モードの期間は、補間モードの期間より少なくとも１０倍より大きい、請求項１又は２に記載の方法。
【請求項４】
前記位相差をモニターし、位相差が前もって決められたしきい値を越えたときに、同期モードから補間モードへ切り替える、請求項１乃至３のいずれか１つに記載の方法。
【請求項５】
前記フィールドレートは６０Ｈｚと５９．９４Ｈｚであり、Δは０．０６Ｈｚであり、１／Δは１６秒である、請求項１乃至４のいずれか１つに記載の方法。
【発明の詳細な説明】
本発明はビデオ処理に関し、特にビデオ信号をあるフィールドレートから他のフィールドレートに変換する技術およびそのような技術を使用する装置に関する。
１つの重要な応用は、高精細度テレビジョン（ＨＤＴＶ）フォーマットへ及びからの信号の変換にある。ＳＭＰＴＥ・２４０Ｍ・ＨＤＴＶシステムは正確に６０Ｈｚのフィールドレートを持つ。後でより詳細に説明するように、ＨＤＴＶ信号を現在の放送標準に変換することが必要となる多くの重要な応用がある。ＮＴＳＣの場合において、これは結果としてフィールドレートを６０．００Ｈｚから５９．９４Ｈｚに変換し、この変換が１６秒毎に１つのフィールドを落とすことが必要であることが既に認識されている。逆に、信号を６０．００ＨｚのＨＤＴＶから５９．９４ＨｚのＮＴＳＣへダウン変換する代わりに、５９．９４ＨｚのＮＴＳＣから６０．００ＨｚのＨＤＴＶへのアップ変換を必要とする応用もある。これは、１６秒毎に１つのフィールドを繰り返すことが必要である。
ある応用において、６０．００Ｈｚと５９．９４Ｈｚとの間のフィールドレートの変換を伴おうと、他の近似した間隔のフィールドレートの変換を伴おうと、この１つの間欠性の落としまたは繰り返しは知覚でき、視覚的に不倫決である。現在の技術を使って、放送標準変換器のようにあるフィールドレートから他のフィールドレートに補間するほかのとりうる方法が存在する。しかしながら、必然的に、そのような補間は視覚画像をソフトにする。これはまた不倫決である。
本発明の目的は、全体の画像の目に見えるほどソフトにすることなく、突然で知覚できるフィールド遷移を避ける、通常近似した間隔のフィールドレート間でビデオ信号を変換する方法を提供することにある。
従って、本発明は、ある態様において、それぞれ毎秒ＦおよびＦ＋／−Δのフィールドレート間のビデオ信号に変換する方法から成り、変換を、時間間隔１／Δの第１の部分を同期モードで実行し、前記時間間隔の第２の部分を補間モードで実行する。
“同期”によって、時間的な補間なしで、又は少なくとも低い空間周波数の時間的な補間なしで、出力フィールドの制作を意味する。変換が、高い周波数性能を改善するために、隣接するフィールドから貢献するということが認識されるが、低い周波数情報の時間的補間がないという条件で、画像のぶれ（blurring）やスムージングが避けられる。
入力および出力フィールド間の位相差をモニターし、位相差が予め定められたしきい値を越えたときに補間モードを実施することが好ましい。
補間モードを、それを実施した後に、固定の時間間隔の間持続することが都合が良い。
本発明は、ハードウェアの要素がフィールド間の補間を行うことが必要な、ＨＤＴＶアップおよびダウン変換器において特に応用を見出だすが、１１２５本と５２５本の間で行われる走査線補間を改良するためにも役立つ。しかしながら、突然で知覚できるフィールド遷移を避けることが望ましく、補間を行うのに伴う付加的なコストが要求される性能の点からもっともなことであるような、近接した間隔のフィールドレート間のビデオ信号を変換する他の応用もある。そのような１つの応用は高仕様のシンクロナイザである。
ＳＭＰＬＥ・２４０Ｍ・ＨＤＴＶシステムは３５ｍｍ映画フィルムと同様な画質を持つ。ＨＤＴＶの普及した放送の前でさえも、ＨＤＴＶ受像機と家庭向きのＨＤＴＶレーザディスクの利用は、ＨＤＴＶフォーマットにおけるフィルム材料用の市場を作るだろう。従って、１６ｍｍ及び３５ｍｍフィルム材料をＨＤＴＶに変換する大規模な仕事が存在する。
ＮＴＳＣとＰＡＬ放送標準間のビデオ材料の変換は珍しくないものになっている。ＮＴＳＣ標準は、ＰＡＬ標準の５０Ｈｚフィールドレートに比較して５９．９４Ｈｚのフィールドレートを持つ。放送品質標準変換器は、４フィールドやそれ以上のフィールドアパーチュアを利用して、５９．９４Ｈｚと５０Ｈｚのフィールドレート間のフィールド補間を行う。
１６ｍｍ又は３５ｍｍ映画フィルムからのテレシネ操作においてＮＴＳＣ又はＰＡＬビデオ材料を生成することがしばしば要求される。珍しい例外として、フィルムが毎秒２４フレームで流すことがもくろまれる。結果として生じる４８ＨｚのフィールドレートからＮＴＳＣ標準に変換するために、周知の“３−２プルダウンシステム”があるフィールドを複写するために使用される。結果として生じるＮＴＳＣ信号は、わずかにどもる（stuttery）動きをもつが、放送用として容認できる。ＰＡＬビデオ信号は、テレシネ操作において、適当な修正をもつ映画フィルムから、４８Ｈｚから５０Ｈｚに変換するための実行速度へ制作される。ＰＡＬ信号を原フィルムからでなく、３−２プルダウンシステムを使ってテレシネされたＮＴＳＣ信号から作成することが必要なときに、特別な問題が起こる。従来の標準変換は、３−２プルダウンシステムにおいて発生された人工的なフィールドシーケンスから起こるアーティファクト（artefacts）を生む。この問題の解決は国際公開番号９１／０６１８２において提供され、それはＰＡＬ走査線標準に変換する前に重複のフィルムを認識して取り除く技術を記載している。
一般に、ＨＤＴＶがオリジナルでそれから現在の放送標準にダウン変換された、プログラム材料は、“通常”源から得られる品質をはるかにしのぐ画質を持つと信じられている。従って、ＨＤＴＶテレシネされたマスタからＮＴＳＣおよびＰＡＬの両方のマスタへ制作することは有利であり、すなわち、当該フィルム材料の直接ＮＴＳＣテレシネは既に存在している。この方法で生成されたＮＴＳＣ及びＰＡＬマスタは、非常に高画質を持つと期待されている。もし、ＨＤＴＶ、ＮＴＳＣ及びＰＡＬマスタが本質的に近接したものを持つことがアレンジされているなら、書き替えがディレクタや視覚の品質に対して責任がある他の人によって一度だけ承認されることが必要となる、多大の時間とお金を節約するだろう。
本発明のさらなる態様はこの目的に改良された装置を提供することにある。
従って、さらなる態様における本発明はＨＤＴＶテレシネされたマスタからＮＴＳＣおよびＰＡＬマスタの同時制作用の装置にあり、この装置は、毎秒２４フレームの映画フィルムから１１２５本の走査線で毎秒６０フィールド（１１２５／６０）の高精細テレビジョン（ＨＤＴＶ）へのテレシネ操作におけるフィールド処理の位相を表す３−２プルダウン位相信号を受信する手段と；１１２５／６０ＨＤＴＶ入力を受信して、１１２５本から５２５本へ走査線変換し、前記位相信号によって毎秒６０フィールドから５９．９４フィールドにフィールド変換し、そして落としたフィールドの識別を含む変更した位相信号を生成するダウン変換手段と；５２５／５９．９４入力を受け、５２５本から６２５本に走査線変換し、前記変更した位相信号によって毎秒５９．９４フィールドから４７．９５２フィールドにフィールド変換するクロス変換手段と；を有する。
もっとさらなる態様において、本発明はＨＤＴＶテレシネされたマスタからＮＴＳＣ及びＰＡＬマスクの同時制作用の装置にあり、この装置は、毎秒２４フレームの映画フィルムから１１２５本の走査線で毎秒５９．９４フィールド（１１２５／５９．９４の高精細テレビジョン（ＨＤＴＶ）信号を生成するテレシネを含む第１の手段であって、前記第１の手段は、さらに、テレシネ操作におけるフィールド処理の位相を表し、かつ毎秒５９．９４フィールドに合わされた変更した３−２プルダウン位相信号を提供する第１の手段と；１１２５／５９．９４ＨＤＴＶ入力を受け、１１２５本から５２５本に走査線変換するように動作するダウン変換手段と；５２５／５９．９４入力を受け、５２５本から６２５本に走査線変換し、かつ前記変更位相信号によって毎秒５９．９４フィールドから毎秒４７．９５２フィールドにフィールド変換するクロス変換手段と；を有する。
本発明を今から添付の図面を参照して実施例によって説明する。
図１はフィールドレート間でビデオ信号を変換するための本発明による装置を示すブロック図であり；
図２は図１に示された装置の動作を図示する一連のグラフ・プロットであり；
図３は図１に示された位相プロセッサを詳細に図示するブロック図であり；
図４は本発明による方法を図示する一連のグラフ・プロットであり；
図５は図３に示された位相プ・セッサの変形例を図示するブロック図であり；そして、
図６はＮＴＳＣ及びＰＡＬレートの同時制作用の装置を図示するブロック図である。
図面に向かって、図１は時間的補間器１０を示し、それは端子１２から入力フィールドレートＦを持つ入力ビデオ信号を受ける。時間的補間器は端子Ｒで所望の出力フィールドレートＦ＋／−Δの基準タイミング信号を受ける。時間的補間器は端子Ｔで時間的位相制御信号を受ける。知られた方法で、時間的補間器は、１つまたはそれ以上のフィールド遅延を含み、隣接するフィールドからの情報に時間的位相制御によって決定された相対的重みを結合して、所望の出力フィールドレートＦ＋／−Δでビデオ信号を出力する。
入力ビデオ信号は、位相差ユニット１４で、出力フィールドレート基準タイミング信号と比較され、位相差の測定値を得る。この位相差ユニットは、入力フィールドの初めで始動し、出力フィールドの初めで停止するカウンタの形をとることができる。得られた位相差の測定値は、適当に調整され、位相プロセッサユニット１６に取得される。
位相プロセッサは２つの動作を行う。第１には、同期を取るためにフィールドレート差が十分に小さいかどうかを、位相差信号の変化率を観測することによって、決定することである。すなわち、同期プロセッサにおいて増加したシャープネスを越える時間的なアーティファクトが生じないようにする。もしフィールドレート差が十分に小さくなければ、位相プロセッサは、位相差信号をそのまま通すことによって時間的位相制御信号を発生する。時間的位相制御信号の形は図２のプロットａ）で示され、これは従来の時間的補間と呼ばれるものである。当業者であれば、実際上、補間における位相差が量子化されることを認識しており、これは図２のプロットｂ）で概略的に示される。
もしフィールドレート差が、適切な同期に対して十分に小さいと決定されたなら、位相プロセッサ１６は図２にｃ）で示されるような、時間的位相制御信号を発生するように働く。制御信号は、初期的に、位相差が増加してもローのままであり、時間的捕間（すなわち、少なくとも、低い空間周波数の時間的補間）がなく、システムは同期モードであると言うことができる。適当な点で、時間的位相制御信号は、位相差信号で、増加した利得で、上昇し始める。時間的位相制御信号のこの傾斜部上で、このシステムは、勿論、補間モードであり、隣接するフィールドからの低い空間周波数情報に、時間的位相制御信号の瞬時値によって決定される相対的重みを結合した、出力フィールドを生成するように動作する。一旦、時間的位相制御信号がハイ値に適すると、システムはもう一度同期モードとなる。
位相が上述したように順次循環し、時間的位相制御信号の上限および下限は均等であることが望ましいことが分かっている。時間的補間器１０の特別な構成に依存して、補間器での読出しおよび書込みレートが互いに上回る関係になるとき、フィールドは落とされるか、あるいは繰り返される。この状態が生じなければ、視覚上の不連続性は、効果的に、補間モードにおいて遮蔽される。
位相プロセッサ１６の一実施例は図３に示される。
位相差ユニット１４からの位相差信号は、プリセット範囲を持つヒステリシス比較器２０で比較される。その範囲（±ヒステリシス・パラメータ）をどちらか一方の方向に通過すると、スタート・パルスがカウンタ２４に送出され、カウンタは、たとえば、０．５秒の期間の固定時間間隔の間、上または下に昇降する。従って、これらはスイッチ装置２８の接点２６で、図２ｃ）で示される形の時間的位相制御信号が現れる。
このように、所望の目的が達成される。固有のシャープネスを有する同期モードが実現可能な時間維持される。カウンタ２４には、シャープネスの低下が明確にはならないような非常に短い時間がセットされており、この時間内に、フィールド落とし（又は繰り返し）が行われたかのような補間動作が行われる。
同期および補間モードと呼ばれるものをもっと厳密に見ることが有益であり、この目的のために、図４を参照する。これは、異なる４つの行（１）〜（４）上に、共通に水平方向にフィールドのタイミングを示すが、同期、補間、本発明による配置、および対照する位相関係を示す。
図１は行（１）に同期の従来方法を示す。各出力フィールドＦ0の情報は本質的に１つの入力フィールドＦiから取られ、入力及び出力フィールドの相対的位相として変化するこのもたらす時間歪みが１周期を通過する。（簡単のために、１：１．２比が図において選択され；本発明はもっと典型的にはおよそ１：１．００１の比に関わる。）時間ゆがみは矢印ＴＤによって図示されている。毎第５の入力フィールドが、必要な数の出力フィールドを生成するために２回使用される。
この方法はシャープな画像を生成することが予期されている。何故なら、各出力フィールド用の情報（特に、低い周波数の情報）は単一の入力フィールドから起こっている。しかしながら、繰り返されるフィールドは、視覚的に不兪快となることが予期される。
補間法を、同じ入力及び出力フィールドで、行（２）に概略的に図示する。各出力フィールドＦ0は、ブレース（brace）Ｉによって図に識別される２つの入力フィールドＦi間の補間によって組み立てられている。各ケースにおける補間の位相はブレースＩの矢印で示された頂点の位置によって図示され、入力フィールドに関して測定された、この補間位相は行の中心に向かって付けられていることが分かる。勿論、この補間位相は、測定された位相と呼ばれるもの、すなわち、入力フィールドに関してそれが引き出されるべきものから意図された出力フィールドの時間の位置（矢印ＴＤによって表される整数のフィールド遅延を無視する）と等しい。これは、補間それ自身の明らかな特徴と考えられるが、新しい分析が本発明のより良い理解に役立つだろう。
さて、プロットＡで、補間位相及び時間の間の本質的に鋸歯の関係を示す、図４の行（４）を参照する。出力フィールドＦ0の位置はプロット上に印を付けられている。示された簡単な配置において、補間位相はモジュロ６の形を取る。
補間はフィールドの繰り返し（又はフィールドの落とし）と関連したどもり（stutter）を避けるが、必然的に画像をソフトにする。
それでは図４の行（３）に返って、本発明による動作の方法を図示しており、１：１．２の人工的に高いフィールドレート比を忘れるべきでない。
最初に、システムは同期モードである。関係は、勿論、補間の代わりであり、従って、２つの入力フィールドを結合するブレースＩを示すことはまだ都合がよい。しかしながら、情報（少なくも低い周波数の情報）はたった１つのフィールドから取られる。図４においてこれを示すために、矢印で示された頂点はブレースの一方の端に向けられ、ブレースの残りは点線で示され、その点線は情報がブレースのその端の入力フィールドから取られないことを示している。出力フィールドは補間されず、シャープである。
出力フィールドに対して行（３）の中央の方に示された測定した位相は、この明細書のほかの場所で説明されるような実際に測定された位相に対応する。この測定した位相がしきい値を越えたとき、システムは補間モードに（再び説明されるように）変化する。これは、補間位相、すなわち、２つの入力位相から取られた相対的寄与、を示す各ブレースの矢印で示された頂点をもつ実線のブレースＩ*によって図に示される。この補間位相は、（図２に示されるような）位相プロセッサ１６によって生成された傾斜信号によって規定され、測定位相と同じではない。手早い参照のために、傾斜信号は図４の行（４）にプロットＢで示される。補間位相は、前のように、位相がモジュロ６を通過するとき、十分に高いステップを持つ。このステップの後の周期の間、しかしながら、傾斜信号Ｂは、零に急に落ちる前に、十分な高さのままであり、それは次のモジュロ・ステップまでとどまる。
示されたケースの各々において、位相が最小から最大に循環する場合に起こることを正確に考察することは有益である。同期モードにおいて、これは人力フィールドを繰り返す結果である出力フィールドと等しい。補間において、関連した出力フィールドは、同じ２つの入力フィールドから２つの別の補間に起こるものである。これら両方のケースにおいて、番号の付けられたフィールド記憶装置を持つアーキテクチュアが、番号の順序に繰り返して書き込みおよび読み出されることを想定し、この点はフィールド記憶装置の有効な再番号付けによって成し遂げられる。本発明による配置では、この再番号付けは残るすべてである。２つの入力フィールドを２回使用することを技術的に利用できる間、第１の操作は完全に第１の入力フィールドを取り、第２の操作は完全に第２の入力フィールドを取る。周期は、従って、少ない数のフィールドのみに対するシャープネスの低下の余裕のあるコストで“目に見えなく”生成された付加的なフィールドで完了する。従って、行（３）の出力フィールドＦ0を見ると、比較的多数の補間されないすなわち同期化されたフィールドがあり、比較的少数の補間されたフィールドがあることが観察される。同期のシャープネスができるだけ多くフィールドに対して維持され、繰り返されまたは落とされるフィールドの不連続は避けられる。
もっと実用的な配置において、フィールドレート差は通常もっと小さい。フィールドレート差が増加すると、補間モードによって占められる全体の時間間隔は増加することが分かる。補間及び同期モードの持続期間の比は、記述された比０．５：１６以上にかなり上昇できるが、同期は時間間隔１／Δのより大きい部分を占めることが好ましい。かなり増加したフィールドレート差で、時間的制御信号が利用できる周期内でその限界の間を傾斜することができなくなる。この発生した状態を防止するために、本発明は、上述したように、フィールドレート差をチェックし、システムを強いて連続した補間モードにさせることを提案する。
再び図３を参照して、位相差信号は遅延ユニット３０を通って持っていかれ、連続するフィールドの測定された位相差の値が減算器３２で減算される。減算は位相差の変化率の指示を与え、従って、フィールドレート差である。減算の結果はしきい値ユニット３４にもたらされ、もしこれがプリセットしきい値、例えば２Ｈｚを越えたなら、ユニット３４はスイッチ２８を接点３６と出力と接続するように操作する。この接点３６は、スケーラ３８によって適当にスケールされた、原位相差信号を受ける。時間的位相制御信号のこの形は、時間的補間器を強制的に補間モードにさせる。
代わりの方法は、位相が明確にした量だけ変化する連続するフィールドの数を計数することである。この方法を利用する改造した装置について、図５を参照して説明する。
典型的に３ビットに量子化された位相差は、ディザ・フィルタ５０に直接およびフィールド遅延５２を通ってもっていかれる。ディザ・フィルタ５０は２つの出力を提供し、それらは本質的に“現在”および“１フィールド過去”の位相差であるが、量子化雑音を取り除くために試みに処理される。従って、３ビットで量子化されたゆっくり変化する位相差は、理想的ケースにおいて、次の型をとるだろう。
0003944238.tif 000002
しかしながら、量子化雑音の効果は次のような似たようなものを生成するだろう。
0003944238.tif 000003
ディザ・フィルタは、この効果を、もっと後の１ビットを逆にされた無視する遷移によって本質的に取り除くように動作する。
ディザ・フィルタの出力は比較器５４を通り、これは、今実際に推測されかつ雑音の結果はない、遷移を検出する。同じ（量子化された）位相を持つフィールドの数は、増加カウンタ５６でモニタされる。このカウントは、量子化された位相の遷移の検出が加わって、制御箱５８に提出される。カウントがしきい値を越えた後の遷移の検出は、本発明により結合された同期／補間モードを可能にする。位相遷移間の比較的高いフィールドのカウントは、勿論、ゆっくり変化する位相差を表示する。カウントがしきい値になる前の遷移の検出は、結合された同期／補間モードを使用禁止にし、十分に高い数のフィールドが再び同じ位相差でカウントされるまで、連続補間へ導く。
他の方法は、位相差信号を処理して、変換が時間間隔１／Δの大きい方の部分に対して同期モードであり、残りの部分に対して補間モードであるような、必要な時間的位相制御信号を生成することを採用すると理解される。従って、位相差信号はコアリング（coring）または作られた他の非線形装置を通過させ、図２のプロットｃ）で示されるような出力を出力する。この方法は簡単となる利点があり、上述した方法と同一の結果を生じるが、もしΔが一定であるなら、Δの変動を処理するこの方法はかなりはずれている。従って、モードが同期から補間へ変化する点と（補間傾斜の“利得”によって決定される）補間モードにかかる時間とは、Δが変化するとき変化する。他の変形において、個々のチェックは、フィールドレート差Δが、適当な、少なくとも時間間隔１／Δの部分で、同期に対して十分に小さいかどうかを決定するためになされない。これは再び簡単となる利点があるが、効果は装置によって処理される入力ビデオ信号の範疇を制限する。一般的に言って、もし位相差の変化率が大き過ぎるなら、連続補間モードに強制的に変化されるような、所望の装置は、重要な利点をもつものと感じられる。勿論、システムを、大きなフィールドレート差の間、強制的に連続補間にする他の方法がある。このシステムは、フィールドレート差Δが特定の時間スケール間で落とされまたは繰り返されるフィールドに対して十分に大きいかどうかをチェックする分離手段を必要としない。何故なら、好ましい配置において、同期モードから補間モードへの変化はしきい値を越える位相によって“トリガされる”からである。もし、例えばシンクロナイザにおいて、フィールドレート差Δが特別の時間スケール中で非常に小さいままならば、この時間スケール中で、モードが補間モードに変化することはない。長い時間スケールで、もし位相差がこのしきい値を越えるように蓄積するなら、モードは補間モードに変化するかもしれない。
テレシネされたＨＤＴＶ信号からＮＴＳＣ及びＰＡＬマスタの同時制作のための装置を提供する目的について説明する。
前述したように、テレシネ操作において毎秒２４フレームのフィルム材料を毎秒６０フィールドのＨＤＴＶに変換するものは、周知の３−２プルダウンにおいてフレームの付加を伴う。ＨＤＴＶからＮＴＳＣへの引き続く変換は６０．００Ｈｚから５９．９４Ｈｚのフィールドレート変化を必要とするが、これは本発明によって実行される。それからＰＡＬ信号を生成することは、もしアーティファクトが避けられるなら、３−２プルダウンに付加されたフィールドの除去を必要とする。国際公開番号９１／０６１８２は適当な技術を提供しているが、３−２プルダウンのシーケンスが１６秒毎に改悪されるという、付加的な困難さに出くわす。
図６に向かって、ＨＤＴＶテレシネ・ユニット６０は毎秒２４フレームの映画フィルムを操作して、１１２５本の走査線で毎秒６０フィールド（１１２５／６０）のＳＭＰＴＥ・２４０Ｍ・ＨＤＴＶを生成する。テレシネ・ユニットは、また、３−２プルダウン・シーケンスを表す位相出力を生成する。ダウン変換器ユニット６２は、１１２５／６０を操作して、ＮＴＳＣ５２５／５９．９４出力を生成する。ダウン変換器６２は、テレシネからの位相出力に対して付加的な遅延を与え、２つの方法で（付加的に遅延された）位相出力を使用する。第１に、位相信号は、１６秒毎に落とされたフィールドが３−２プルダウンで付加された複製であるフィールドであることを保証するために使用される。第２に、位相信号は、フィールドの落としを示すために変更され、変更された位相信号はクロス変換器６４に出力される。付加的遅延は重要な特徴である。テレシネからのビデオ出力は、それがダウン変換器で利用できるようになる前に、よく他のプロセスを通る。一例は外部カラーライザー（colouriser）、すなわち、テレシネのそれぞれのＲＧＢ利得を間接的に制御することによるよりも、テレシネからのビデオ出力を直接的に操作するカラーライザーである。もし、まったく可能であるとき、そのような付加的なプロセスがフィールド遅延を伴うなら、３−２プルダウン信号は位相を異にし、本目的のために使用できない。従って、本発明の好ましい形によるダウン変換器は、使用者に、典型的には１〜５フィールドの遅延を選択させて、３−２プルダウン信号をビデオ信号を持つ位相に回復させるのを可能にする位相遅延を含む。
クロス変換器６４は５２５／５９．９４信号を受け、６２５／４８出力を生成する。クロス変換器は、変更され任意に遅延された信号を使用し、３−２プルダウン“復号”して、フィールドを適当に遅延および再整理する。この操作は、１６秒間隔で落とされるフィールドを考慮した、変更した位相信号に従って処理されるので、６２５／４８信号のフレームと原映画フレームとの間に連続した一致があることを保証する。変更された速度で動作するビデオテープ・レコーダを使用することによって、知られているように、６２５／５０信号を生成することができる。その代わりに、クロス変換器が、直接的に、６２５／５０に変換するために改造される。
変換プロセスを通じて、正しい処理がフレーム優性（dominance）をフィルムに写すために支払うことを保証することは重要である。ＰＡＬ信号において、各ビデオフレームが同じフィルムフレームからの２つのフィールドから構成されることを保証することを説明した。また、ビデオフレームのフィールドを正しくフィールド１及びフィールド２として一対にすることを保証することも必要である。
ＮＴＳＣ及びＰＡＬマスタはＨＤＴＶテレシネされたマスタから同時に制作されるので、転写は、ディレクタや画質に対して責任のある他の人によって１度だけ承認されることが必要である。
ある事情の下では、同じフィールドレートで実行するダウン変換器の入力及び出力を持つことが望ましい。これは、５９．９４Ｈｚで出力を生成するように、テレシネを実行することによる一変形によって達成される。この変形において、変更された３−２プルダウン信号は、テレシネから、直接的に、利用できる。
さらなる変更において、記録装置は、ＨＤＴＶテレシネとダウン変換器との間に挿入される。この方法において、一連の記録及び再生操作によって、フィールドレートは６０．００Ｈｚから５９．９４Ｈｚに変換される。３−２プルダウン信号は、また、できたらＶＴＲ上のキュー・トラックを使って、記録及び再生される。この方法において、変更された３−２プルダウン信号が生成される。
テレシネ・ユニット６０からの位相出力は、後処理のためのＨＤＴＶマスタ上に記録される。適当なキャリアは、レコーダ、キュー・トラック、又は時間コード・ユーザ・ビットである。
【図１】
0003944238.tif 000004
【図２】
0003944238.tif 000005
【図３】
0003944238.tif 000006
【図４】
0003944238.tif 000007
【図５】
0003944238.tif 000008
【図６】
0003944238.tif 000009